(57)【要約】【課題】電気通信ネットワーク用移動端末をロックする方法を提供すること。【解決手段】本発明によると、端末が以下の動作を実行する。すなわち、（１）最初の（Ｕ）ＳＩＭタイプ加入者カードの少なくとも１つの独自の加入者身元情報（ＩＭＳＩ０）、および前記最初のカードの使用者の個人識別番号（ＰＩＮ０）に基づいてコードを算出し、（２）新たなカードが挿入されたかどうかを検出し、もしもそうであれば前記最初のカードの前記個人識別番号（ＰＩＮ０）を入力するように使用者に求め、それにより、記憶された情報にそれが合致するかどうか確認し、（３）合致しない場合に前記端末の操作をロックする。本発明は、盗難に対する移動端末の保護に適用可能である。【選択図】      図１
2004166215.tif 000002
【特許請求の範囲】
【請求項１】
少なくとも１つの独自の加入者身元情報（ＩＭＳＩ）を含むＳＩＭカードタイプの加入者識別カードを読み取るためのリーダを含む、電気通信ネットワーク用移動端末をロックする方法であって、
（Ｕ）ＳＩＭタイプの最初の加入者カードの少なくとも１つの独自の加入者身元情報（ＩＭＳＩ０）、および前記最初のカードの使用者の個人識別番号（ＰＩＮ０）を含む入力データに基づいてコードを算出し、
新たなカードが挿入されたかどうかを検出し、挿入されたのであれば、前記最初のカードの前記個人識別番号（ＰＩＮ０）を入力するように使用者に求めて、当該個人識別番号（ＰＩＮ０）が記憶された情報と合致するかどうかを確認し、
合致しない場合には前記端末の操作をロックする、といった動作を実行する前記端末を備えることを主に特徴とする方法。
【請求項２】
前記独自の加入者身元情報は国際移動加入者識別番号（ＩＭＳＩ）であることを特徴とする請求項１に記載の電気通信ネットワーク用移動端末をロックする方法。
【請求項３】
前記独自の加入者身元情報はＩＣカード識別番号（ＩＣＣｉｄ）であることを特徴とする請求項１に記載の電気通信ネットワーク用移動端末をロックする方法。
【請求項４】
前記独自の加入者身元情報はＩＣカード識別番号（ＩＣＣｉｄ）であることを特徴とする請求項２に記載の電気通信ネットワーク用移動端末をロックする方法。
【請求項５】
前記コードが、ＤＥＳもしくは３ＤＥＳアルゴリズムタイプの暗号アルゴリズムのような単射関数、またはハッシュ関数によって算出されることを特徴とする請求項１に記載の電気通信ネットワーク用移動端末をロックする方法。
【請求項６】
前記コードが、ＤＥＳもしくは３ＤＥＳアルゴリズムタイプの暗号アルゴリズムのような単射関数、またはハッシュ関数によって算出されることを特徴とする請求項２に記載の電気通信ネットワーク用移動端末をロックする方法。
【請求項７】
前記コードが、ＤＥＳもしくは３ＤＥＳアルゴリズムタイプの暗号アルゴリズムのような単射関数、またはハッシュ関数によって算出されることを特徴とする請求項３に記載の電気通信ネットワーク用移動端末をロックする方法。
【請求項８】
前記コードが、ＤＥＳもしくは３ＤＥＳアルゴリズムタイプの暗号アルゴリズムのような単射関数、またはハッシュ関数によって算出されることを特徴とする請求項４に記載の電気通信ネットワーク用移動端末をロックする方法。
【請求項９】
請求項１に記載の方法を実施するのに適したプログラムを含む不揮発性メモリを有することを特徴とする移動通信端末。
【請求項１０】
請求項２に記載の方法を実施するのに適したプログラムを含む不揮発性メモリを有することを特徴とする移動通信端末。
【請求項１１】
請求項３に記載の方法を実施するのに適したプログラムを含む不揮発性メモリを有することを特徴とする移動通信端末。
【請求項１２】
請求項４に記載の方法を実施するのに適したプログラムを含む不揮発性メモリを有することを特徴とする移動通信端末。
【請求項１３】
請求項５に記載の方法を実施するのに適したプログラムを含む不揮発性メモリを有することを特徴とする移動通信端末。
【請求項１４】
請求項６に記載の方法を実施するのに適したプログラムを含む不揮発性メモリを有することを特徴とする移動通信端末。
【請求項１５】
請求項７に記載の方法を実施するのに適したプログラムを含む不揮発性メモリを有することを特徴とする移動通信端末。
【請求項１６】
請求項８に記載の方法を実施するのに適したプログラムを含む不揮発性メモリを有することを特徴とする移動通信端末。
【発明の詳細な説明】
【技術分野】
【０００１】
本発明は、移動通信端末をロックする方法に関する。また、ロック方法を実施するための手段を有する移動端末にも関する。
【背景技術】
【０００２】
移動電話の際立った成功は、移動電話が今や日常環境の一部であることを意味し、世界中の移動電話の総数は数億台に上る。原則として、そのような電気通信の端末または移動電話は、加入者識別モジュールまたは（Ｕ）ＳＩＭカードと一般的に称されるスマートカードを含む。
【０００３】
（Ｕ）ＳＩＭカードは、使用者を識別してかつ加入者を識別するのに役立ち、使用者が変えることのできない情報を含み、それは、例えば、ＩＣカード識別番号（ＩＣＣｉｄ）および移動電話を呼び出すための加入者番号であって、国際移動加入者識別番号（Ｉｎｔｅｒｎａｔｉｏｎａｌ  ｍｏｂｉｌｅ  ｓｕｂｓｃｒｉｂｅｒ  ｉｄｅｎｔｉｔｙ：ＩＭＳＩ）として知られている。
【０００４】
（Ｕ）ＳＩＭカードは加入者が移動電話を取得するときに発行される。このカードは移動電話の所定の場所に設置され、使用者が電話器のキーパッドから個人識別番号（ＰＩＮ）を入れると直ちにそれを動作可能にする。
【０００５】
ＰＩＮコードは安全にカードによって記憶され、使用者にしか知られない。電話器のスイッチが入る度に、カードは使用者にＰＩＮコードを入力するように求め、カードは入力されるコードを認証する。
【０００６】
そのメモリの中で、（Ｕ）ＳＩＭカードはＧＳＭ  ＴＳ１１−１１および３ＧＰＰ（ＴＳ３１．１０１）規格の適用で移動電話端末と通信するためのプロトコルに相当する通信プログラムを含む。
【０００７】
（Ｕ）ＳＩＭカードはまた、１以上のアプリケーションプログラムを含むプログラムメモリをも有し、電話アプリケーションは、もはや供給される唯一のアプリケーションではない。というのは、電子購買といった他のアプリケーションが利用可能であるからである。
【０００８】
したがって、加入者Ａ０の移動端末は、それが（Ｕ）ＳＩＭカードＣ０と通信するのを可能にするスマートカードリーダに適合する。このリーダは、端末を介した使用者とカードとの間のやりとりを可能にするためのマン−マシンインターフェースを有する。この目的のために、使用者は、端末のスクリーン上でスクロールするメニューを利用可能とし、かつ端末キーパッドをも利用可能とする。
【０００９】
端末はまた、プログラムとデータを記憶するための手段および１以上の電気通信ネットワークと通信するための手段といった、以下の説明を理解するために詳細に説明する必要のない他の電子回路にも適合する。
【００１０】
【文献１】
欧州特許出願公開第１０４７２７７号明細書
【文献２】
欧州特許出願公開第１１７０９６９号明細書
【文献３】
欧州特許出願公開第０６０２３１９号明細書
【考案の開示】
【発明が解決しようとする課題】
【００１１】
発生する問題を以下に説明する。
【００１２】
増大している移動電話市場は、盗難移動電話市場といった裏市場もしくは闇市場の成長を引き起こした。
【００１３】
他人から電話器を入手する泥棒は、もしそれが入手時に使用可能状態であったならば、電池が切れるまで電話器を使用することができる。その後、所有者のＰＩＮコードを知らなければ、泥棒はもはや電話器を使用できなくなる。しかしながら、残念なことに、泥棒が他の（Ｕ）ＳＩＭカードをインストールすることは完全に可能である。こうして、より最近の技術の電話器を盗むことによって古い電話器をアップグレードすることができる。したがって、そのような電話器を入手した人が古いモデルの電話器からＳＩＭカードを取り出して新しいモデル（盗むかまたは泥棒から入手したもの）に入れるか、あるいはまさに、異なる加入権に相当するスマートカードを盗難電話器にインストールすることができるため、盗難電話器の市場が存在する。
【００１４】
初期のカード以外のＳＩＭカード、言い換えると異なる加入権で電話器を使用することができる限り、この市場はあり得る。
【００１５】
この問題に対して知られている解決策は、加入権と装置の両方を含む複合購入、すなわち「パック」で支給された（Ｕ）ＳＩＭカードに電話器の動作をロックすることである。そのメカニズムはＥｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ（ＥＴＳＩ）によって規定され、ＳＩＭ  Ｌｏｃｋとして知られている。それは、電話器が他のオペレータで取得された加入権で使用されることに対抗してオペレータを保護する。その解決策は限られた期間について通信オペレータによって管理される。市場は、現在、成熟しているので、消費者は、既に所有している加入権（ＳＩＭ）で使用するために最近の端末を入手している。実際には、まさに盗難電話器を盗まれた加入者は通信オペレータに電話をかけて盗難を知らせ、オペレータが（Ｕ）ＳＩＭカードの使用を締め出す。その解決策は、（ＰＩＮコードが不明のままである限り得られる保護に加えて）加入者の加入権の使用に対して加入者を保護し、オペレータを料金支払い拒否に関する争いから免れさせる。
【００１６】
しかしながら、盗まれた電話器はそれでも使用される可能性があるので、その解決策は盗難の問題を解決するのに役立たない。
【課題を解決するための手段】
【００１７】
本発明の目的は、その状況を改善することである。
【００１８】
提案の解決策は、端末に挿入されたカードが初期の加入権カードに相当しないと検出された後に端末自体によってロックされる端末に依存する。
【００１９】
したがって、本発明は、電気通信ネットワーク用移動端末をロックする方法を提供し、その端末には加入者を識別するのに特に役立つスマートカードリーダが含まれ、上記カードは少なくとも１つの変更不可能の独自の加入者身元情報（例えばＩＭＳＩ）を含む（Ｕ）ＳＩＭカードタイプであり、本方法は、端末によって実行される以下の操作を含むという事実を主に特徴とする。
・次の入力データ、すなわち最初の（Ｕ）ＳＩＭタイプ加入者カードの少なくとも１つの独自の加入者身元情報（ＩＭＳＩ）、および上記の最初のカードの使用者の個人識別番号に基づいてコードを算出する。
・新たなカードが挿入されたかどうかを検出し、そうであれば最初の（Ｕ）ＳＩＭタイプカードの個人識別番号を入力するように使用者に求め、それにより、記憶された情報にそれが合致するかどうか確認し、
・情報が合致しなければ端末の操作を締め出す。
【００２０】
１つの変形実施形態では、独自の加入者身元情報は国際移動加入者識別番号（ＩＭＳＩ）である。
【００２１】
別の変形例では、独自の加入者身元情報はＩＣカード識別番号（ＩＣＣｉｄ）である。
【００２２】
他の特徴によると、コードはデータ暗号化規格（ＤＥＳ）もしくは３ＤＥＳタイプの暗号アルゴリズムといった単射関数、またはハッシュ関数によって算出される。
【００２３】
本発明はまた、上述の方法を実施するのに適したプログラムを含む不揮発性メモリを有することを主に特徴とする移動通信端末をも提供する。
【００２４】
本発明のその他の特徴および利点は、限定されない実施例の方式で、かつ端末内にロードされたプログラムのロックによって実施される方法を示す１枚の図面を参照して与えられる以下の説明を読むと明らかになる。
【発明を実施するための最良の形態】
【００２５】
本発明の方法を実施するためのプログラムロックは端末ＴのプログラムメモリＭＥＭ内に記憶される。対応する「ロック」機能は、所望であればそれを稼働させることのできる使用者に対して利用可能にされる。この目的のために、「ロック」機能は端末のスクリーン上に表示されるメニューに示される。
【００２６】
プログラムは、（Ｕ）ＳＩＭ  Ｃ０が挿入される最初の機会に実施される第１のステップを有する。
【００２７】
このステップはＲＥＳ＝Ｆ（ＰＩＮ０，ＩＭＳＩ０）となるようにコードＲＥＳを算出するステップを有する。関数Ｆは単射暗号関数、すなわちＦ−１（ＲＥＳ）＝（ＰＩＮ０，ＩＭＳＩ０）または使用されたＰＩＮコードが正しいコードであることを確認可能にさせる他の関数である。
【００２８】
個人識別番号ＰＩＮ０および国際移動加入者識別番号ＩＭＳＩ０は、この実施例の中でプログラムによって実行される計算のための入力データである。
【００２９】
番号ＩＭＳＩ０は単なる例であり、カードのどのような他の独自かつ修正不可能な特性によって代替されることもあり得る。例えば、ＩＣカード識別番号（ＩＣＣｉｄ）を使用することが可能である。
【００３０】
このステップＩはまた、得られるコードＲＥＳおよび番号ＩＭＳＩ０を記憶することをも含む。
【００３１】
その後、ステップＩＩに例示するように、新たなＳＩＭカードが挿入される度に、プログラムはＩＭＳＩ番号を既に記憶した番号と比較することによってＩＭＳＩ番号を確認し、
・この番号（ＩＭＳＩ）が異なっている場合、プログラムは最初のカードの個人識別番号ＰＩＮ０を要求し、記憶したデータに基づいて正しいＰＩＮコードが入力されたかどうかチェックする。
・この番号（ＰＩＮコード）が異なっている場合、端末はそれ自体の動作を締め出し、そうでなければ機能し続ける。
【００３２】
こうして、この配列は使用者によって最初の（Ｕ）ＳＩＭカードの個人識別番号コードＰＩＮ０が入力されるまで端末が使用されるのを防止する。
【００３３】
関数Ｆは単射関数（すなわちＦ−１（ＲＥＳ）＝（ＰＩＮ０，ＩＭＳＩ０））であるが、ハッシュ関数、あるいはＤＥＳもしくは３ＤＥＳアルゴリズムのような暗号アルゴリズムであることも同等によい。
【００３４】
自己の不揮発性メモリのうちの１つに、上述の複数ステップを実施してロック機能を実行するためのプログラムを有するのは端末である。こうして、使用者自身のＰＩＮコードを入力するように使用者に求める端末であると好都合である。このステップはしたがって、端末がスイッチオンされるときに（Ｕ）ＳＩＭカードの要求で実行されるＰＩＮコード入力のための従来のメカニズムとは無関係なままである。
【図面の簡単な説明】
【００３５】
【図１】端末にロードされたロックプログラムによって実施される方法を示す図である。
【符号の説明】
【００３６】
ＭＥＭ  プログラムメモリ
Ｔ  端末
【図１】
2004166215.tif 000003
【外国語明細書】
2004166215.tif 000004
2004166215.tif 000005
2004166215.tif 000006
2004166215.tif 000007
2004166215.tif 000008
2004166215.tif 000009
2004166215.tif 000010
2004166215.tif 000011
2004166215.tif 000012
2004166215.tif 000013
2004166215.tif 000014